(57)【要約】【課題】  真偽判定可能なＩＤ証と、ＩＤ証に付加されている情報だけ真偽判定を行なうことができるＩＤ証の真偽判定方法を提供する。【解決手段】  ＩＤ証は、識別情報と、識別情報の暗号化情報を含む二次元コードと、二次元コードに含まれている暗号化情報を復号可能な鍵情報とが表示され、また、ＩＤ証の真偽判定方法は、ＩＤ証所持者の識別情報を含む二次元コードを生成し、二次元コードを分解し復元可能な２つの二次元コードを生成し、ＩＤ証に、識別情報と、前記２つの二次元コードを表示し、ＩＤ証の真偽判定を行なう際に、ＩＤ証の２つの二次元コードを機械読み取り、機械読み取りした２つの二次元コードを合成し分解前の状態の二次元コードに復元処理し、復元処理した二次元コードに含まれる識別情報を抽出処理し、抽出した識別情報と、ＩＤ証に表示されている識別情報から機械読み取りして得た情報とを照合し結果情報を真偽判定情報として出力する。【選択図】        図１
2006315305.tif 000002
【特許請求の範囲】
【請求項１】
ＩＤ証の所持者の識別情報と、
前記識別情報の暗号化情報を含む二次元コードと、
前記二次元コードに含まれている暗号化情報を復号可能な鍵情報と、
が表示されていることを特徴とするＩＤ証。
【請求項２】
前記鍵情報が、二次元コードで表示されていることを特徴とする請求項１記載のＩＤ証。
【請求項３】
前記鍵情報が、身分ＩＤ証の所持者の顔写真画像と合成されて表示されていることを特徴とする請求項１記載のＩＤ証。
【請求項４】
二次元コードを利用してＩＤ証の真偽判定を行なうＩＤ証の真偽判定方法であって、
前記ＩＤ証の所持者の識別情報を含む二次元コードを生成するステップと、
前記二次元コードを分解して、復元可能な２つの二次元コードを生成するステップと、
前記ＩＤ証に、前記識別情報と、前記２つの二次元コードを表示するステップと、
前記ＩＤ証の真偽判定を行なう際に、前記ＩＤ証に表示された２つの二次元コードを機械読み取りするステップと、
前記機械読み取りした２つの二次元コードを合成して、分解前の状態の二次元コードに復元処理するステップと、
前記復元処理した二次元コードに含まれている識別情報を抽出処理するステップと、
前記抽出処理した識別情報と、前記ＩＤ証に表示されている識別情報を機械読み取りした情報とを照合処理するステップと、
前記照合処理した結果情報を真偽判定情報として出力するステップと、
を有することを特徴とするＩＤ証の真偽判定方法。
【発明の詳細な説明】
【技術分野】
【０００１】
本発明は、真偽判定を行なうことができるＩＤ（Ｉｄｅｎｔｉｆｉｃａｔｉｏｎ）証と、使用されたＩＤ証が偽造されたものであるか否かの真偽判定を行なうためのＩＤ証の真偽判定方法に関する。
【背景技術】
【０００２】
従来、例えば、会議場、スポーツ大会会場、展示会場、博覧会場などのイベント会場や、企業ビル、工事現場などへの入場管理には、入場が許可された関係者などに対して予めＩＤ証の発行を行い、入場時にＩＤ証による本人確認を行なうことで、入場が許可されていない第三者の不正入場などに対する防止策を施している。
ここで言うＩＤ証とは、例えば、入場証、通行証、許可証、身分証明証などのＩＤ証所持者の個人を識別することができる識別情報が読取可能に付加されている媒体をいう。
【０００３】
また、従来、ＩＤ証が不正に偽造され、使用されることを予防するために、種々の偽造防止加工をＩＤ証に施すことも既に実施されている。
これらの偽造防止用の加工としては、ホログラムを貼付させたり（例えば、特許文献１参照）、透かし模様を入れたり、個人識別情報を登録させたＩＤチップを埋め込んで設けたりするなどして、第三者が簡単に製造できないような加工を施している。
また、入場時にＩＤ証を所持している者が、正規にＩＤ証の発行を受けた本人であるか否かに関する本人判定を行なえるようにするため、ＩＤ証にバーコードなどの機械読取用ＩＤコードを表示させて、そのＩＤコードをリーダーで読み取って、予めデータベースに登録されている照合用情報との照合処理を行なうなどして本人確認が行なえるようにしている。
【特許文献１】特開２０００−１５８８６１号公報
【特許文献２】特開２００３−２１５７５９号公報
【０００４】
しかしながら、ＩＤ証にホログラムを貼付させたり、透かし模様を入れたり、個人識別情報を登録させたＩＤチップを埋め込むなどして偽造防止加工を施すと、ＩＤ証を製造する際のコストが高くなる。
また、予め登録されている照合用情報との照合処理を行なう方法では、照合処理のための設備を構築するなどの必要性がある。
そのために、できるだけ安いコストでＩＤ証の発行したくても簡単に発行することができず、更に簡単な設備により偽造防止用の真偽判定を行なうこともできないなど、簡単に真偽判定を行なえないという問題がある。
【発明の開示】
【発明が解決しようとする課題】
【０００５】
本発明は、安いコストで発行することができて、ＩＤ証所持者を識別可能なＩＤ証を提供すると共に、使用されたＩＤ証が、偽造品であるか否かの真偽判定をＩＤ証に付加されている情報を利用するだけで簡単に行なうことができるＩＤ証の真偽判定方法を提供する。
【課題を解決するための手段】
【０００６】
本発明のＩＤ証は、ＩＤ証の所持者の識別情報と、前記識別情報の暗号化情報を含む二次元コードと、前記二次元コードに含まれている暗号化情報を復号可能な鍵情報と、が表示されていることを特徴とする。
【０００７】
また、本発明のＩＤ証は、前記鍵情報が、二次元コードで表示されていることを特徴とする。
【０００８】
更に、本発明のＩＤ証は、前記二次元コードには、公開情報が含まれていることを特徴とする。
【０００９】
また、本発明のＩＤ証は、前記鍵情報が、身分ＩＤ証の所持者の顔写真画像と合成されて表示されていることを特徴とする。
【００１０】
また、本発明のＩＤ証の真偽判定方法は、二次元コードを利用してＩＤ証の真偽判定を行なうＩＤ証の真偽判定方法であって、前記ＩＤ証の所持者の識別情報を含む二次元コードを生成するステップと、前記二次元コードを分解して、復元可能な２つの二次元コードを生成するステップと、前記ＩＤ証に、前記識別情報と、前記２つの二次元コードを表示するステップと、前記ＩＤ証の真偽判定を行なう際に、前記ＩＤ証に表示された２つの二次元コードを機械読み取りするステップと、前記機械読み取りした２つの二次元コードを合成して、分解前の状態の二次元コードに復元処理するステップと、前記復元処理した二次元コードに含まれている識別情報を抽出処理するステップと、前記抽出処理した識別情報と、前記ＩＤ証に表示されている識別情報から機械読み取りして得た情報とを照合処理するステップと、前記照合処理した結果情報を真偽判定情報として出力するステップと、を有することを特徴とする。
【発明の効果】
【００１１】
本発明のＩＤ証は、ＩＤ証に表示された情報だけを使用してＩＤ証の真偽判定を行なえるので、安いコストで偽造防止及び真偽判定を行なうことができるという効果がある。
【００１２】
また、本発明のＩＤ証は、鍵情報を二次元コードで表示されているので、簡単にＩＤ証を偽造することが難しいので、偽造防止を図ることができるという効果がある。
【００１３】
更に、本発明のＩＤ証は、鍵情報が顔写真画像と合成されて表示されているので、簡単に鍵情報を認識することができないので偽造防止を図ることができるという効果がある。
【００１４】
また、本発明のＩＤ証の真偽判定方法は、ＩＤ証に表示されている情報を読み取ることで、真偽判定処理が行なえるので、安価なコストで、しかも簡単な設備により偽造防止用の真偽判定を行なうことができるという効果がある。
【発明を実施するための最良の形態】
【００１５】
以下、本発明の実施形態に係るＩＤ証及びＩＤ証の真偽判定方法について、図面に基づいて詳細に説明する。
以下、図１は、本発明の実施形態に係るＩＤ証の表面図、図２は、本発明の実施形態に係るＩＤ証に使用する二次元コードを説明するための図、図３は、本発明の実施形態に係るＩＤ証の真偽判定方法に関するフローチャートである。
【００１６】
図１に示すように、本発明の実施形態に係るＩＤ証１には、ＩＤ証１を使用するイベントの名称２、ＩＤ証１の使用者の顔写真画像３、その使用者のイベントにおける属性情報４、日付情報５、ＩＤ証１の使用者の氏名や所属などの個人情報６、更に２つの二次元コード７，８などが表示されている。
この２つの二次元コード７，８のうち、その一方の二次元コード７は、顔写真画像３と合成された画像として表示され、目視により簡単に認識できないような状態で表示されている。
【００１７】
これらの２つの二次元コード７，８のうち、一方の二次元コード７には、暗号化情報と公開情報とを有し、また、他方の二次元コード８には、二次元コード７に含まれている暗号化情報を復号させることができる鍵情報が含まれている。
したがって、二次元コード７の暗号化情報を復号するためには、二次元コード７と二次元コード８とを読み取り、これらの２つの二次元コード７，８を合成させることにより、その合成させた二次元コードに基づき情報の読み取りが行なわれるようにしてある。
【００１８】
図２には、ＩＤ証１に表示されている二次元コード７と二次元コード８との関係が示されている。
二次元コード７と二次元コード８とを生成する場合には、処理装置により、まずＩＤ証の所持者の識別情報を有する二次元コード１０の生成を行なった後に、この二次元コード１０を分解して、暗号化情報と公開情報とを有する二次元コード７と、鍵部分の二次元コード８とを生成する。
したがって、二次元コード７または二次元コード８を読み取っても所持者の識別情報を読み取ることができない状態に表示されている。
そして、所持者の識別情報を読み取る際には、処理装置で二次元コード７と二次元コード８とを読み取って、これらの２つの二次元コード７，８を合成して、復元させた二次元コード１１を生成する。
そして、この復元させた二次元コード１１が、ＩＤ証の所持者の識別情報を有する二次元コード１０と同一となるので、この二次元コード１１を読み取ることで、ＩＤ証所持者の識別情報の読み取りを行なうことができるようにしてある。
【００１９】
以上のように、ＩＤ証１には、ＩＤ証の所持者の識別情報が文字で表示されているが、このＩＤ証の所持者の識別情報を含む二次元コード１０を分解させた２つの二次元コード７，８も表示されているので、ＩＤ証１の偽造品が出回った場合でも、偽造ＩＤ証１に表示されている２つの二次元コード７，８を読み取り、２つの二次元コード７，８から復元した二次元コード１１を生成させて、この二次元コード１１に含まれているＩＤ証の所持者の識別情報と、文字で表示されている識別情報とを照合することで、真偽判定を行なえるようにしてある。
【００２０】
次に、本発明の実施形態に係るＩＤ証の真偽判定方法を、図３のフローチャートに従って説明する。
まず、ＩＤ証１を作成する際に、処理装置により、ＩＤ証の所持者の識別情報を含む二次元コードを生成する。（ステップＳ１）
次に、その生成した二次元コードを、処理装置により、復元可能な２つの二次元コードに分解して、２つの二次元コード７，８を生成する。（ステップＳ２）
更に、ＩＤ証１に、文字によるＩＤ証１の所持者の識別情報と、ＩＤ証１の所持者の顔写真画像と、２つの二次元コード７，８とをプリント出力して表示し、発行可能なＩＤ証１を作製する。（ステップＳ３）
そして、ＩＤ証１を正規の利用者に渡して発行する。（ステップＳ４）
【００２１】
次に、利用者が所定に入場口において、ＩＤ証１を使用して入場する際に、機械読取装置によりＩＤ証１に表示されている２つの二次元コード７，８と、文字によるＩＤ証の所持者の識別情報との読み取りが行なわれる。（ステップＳ５）
そして、処理装置により、機械読取装置で読み取った２つの二次元コード７，８を合成して、分解前の二次元コード１１に復元処理する。（ステップＳ６）
次に、処理装置により、復元した二次元コード１１に含まれているＩＤ証所持者の識別情報の抽出処理を行なう。（ステップＳ７）
【００２２】
次に、抽出処理したＩＤ証所持者の識別情報と、機械読取装置により読み取った文字によるＩＤ証１の所持者の識別情報との照合処理を行なう。（ステップＳ８）
そして、処理装置で、この照合処理の結果を真偽判定情報として出力する。（ステップＳ９）
この照合処理の結果が、一致していればそのＩＤ証１が本物であると判定され、また不一致であれば、ＩＤ証が偽物であると判定される。
【図面の簡単な説明】
【００２３】
【図１】本発明の実施形態に係るＩＤ証の表面図である。
【図２】本発明の実施形態に係るＩＤ証に使用する二次元コードを説明するための図である。
【図３】本発明の実施形態に係るＩＤ証の真偽判定方法に関するフローチャートである。
【符号の説明】
【００２４】
１  ＩＤ証
２  イベントの名称
３  ＩＤ証の使用者の顔写真画像
４  属性情報
５  日付情報
６  個人情報
７，８，１０，１１  二次元コード
【図１】
2006315305.tif 000003
【図２】
2006315305.tif 000004
【図３】
2006315305.tif 000005